(57)【要約】  閉鎖端部（１６）および開放端部（１２）を有する可撓性の壁面からなる袋（１１）を含むペット排泄物用のへら付き収拾袋体（１０）である。前記閉鎖端部のところにへら（１８）が装着してあり、へらの把持可能な取手（３８）が袋の内部チャンバ（３６）内に延びている。へらは、薄くて屈曲可能であり、地形に順応するように手で変形させることができ、ペット排泄物（２８）をすくい上げるのに使用される。ペット排泄物をへらの上に載置したならば、袋を裏返して、排泄物の載ったへら前方部を閉じ込め、袋の開放端部を結び合せて閉じる。
2007502615.tif 000002
【特許請求の範囲】
【請求項１】
ペット排泄物用のへら付き収拾袋体であり、前記へら付き収拾袋体は、
中に第１の内部区画を有する袋であって、内側端部および外側端部を有し、前記外側端部が開いていて出し入れ開口部を形成してなる、可撓性の壁面からなる袋と、前面および後面を有するへらと、から成り、前記へらの後面には把持取手が配置され、前記へらの前面にはすくい取り縁が形成してあり、前記へらは上面を有し、屈曲可能な材料で形成してあり、前記袋の前記内側端部に装着してあり、前記前面は前記袋の外部に位置され、前記後面は前記第１の内部区画内に位置してするように配置されており、
前記出し入れ開口部を介して使用者が手と腕を前記袋の中へ差し入れてから、前記把持取手を手で握り、前記へらを操作してペット排泄物をへらの上面に載置させ、次いで、使用者は前記袋を裏返して前記第１の内部区画をなくし、袋を裏返すことによって新しく形成された第２の内部区画内に前記へらおよびペット排泄物を位置付けるようにしたことを特徴とするペット排泄物用のへら付き収拾袋体。
【請求項２】
前記袋には一対の取手が配備されており、これらの取手は前記外側端部のところに位置づけられ、ペット排泄物を収拾して前記袋内に収容した後に、前記取手を共に結び合わせることができるようにしたことを特徴とする請求項１記載のペット排泄物用のへら付き収拾袋体。
【請求項３】
前記上面は表面をザラザラに粗面化してあり、この粗面化した上面により、ペット排泄物を収拾した後にこの上面にペット排泄物を保持し易くさせたことを特徴とする請求項１記載のペット排泄物用のへら付き収拾袋体。
【請求項４】
前記へらは、薄い発泡プラスチック材料で作ってあることを特徴とする請求項１記載のペット排泄物用のへら付き収拾袋体。
【請求項５】
前記すくい取り縁には、ペット排泄物の拾い上げを容易にする波状スカラップ部が設けてあることを特徴とする請求項１記載のペット排泄物用のへら付き収拾袋体。
【請求項６】
前記へらは、更に、前記袋の内側端部を閉じるようにも機能していることを特徴とする請求項１記載のペット排泄物用のへら付き収拾袋体。
【請求項７】
前記袋には一対の取手が配設してあり、これら取手は前記外側端部のところに位置づけられ、ペット排泄物を収拾して前記袋内に収容した後に、前記取手を共に結び合わせることができるようにしたことを特徴とする請求項６記載のペット排泄物用のへら付き収拾袋体。
【請求項８】
前記上面がザラザラに粗面化してあり、この粗面化した上面により、ペット排泄物を収拾した後にこの上面にペット排泄物を保持し易くさせたことを特徴とする請求項７記載のペット排泄物用のへら付き収拾袋体。
【請求項９】
前記へらは、薄い発泡プラスチック材料で作ってあることを特徴とする請求項８記載のペット排泄物用のへら付き収拾袋体。
【請求項１０】
前記すくい取り縁には、ペット排泄物の拾い上げを容易にする波状スカラップ部が設けてあることを特徴とする請求項９記載のペット排泄物用のへら付き収拾袋体。
【請求項１１】
前記へらは、更に、前記袋の内側端部を閉じるようにも機能していることを特徴とする請求項１０記載のペット排泄物用のへら付き収拾袋体。
【発明の詳細な説明】
【技術分野】
【０００１】
本発明の分野は、物体を収拾するものに関し、更に詳細に説明すると、特にこれに限定するものではないが、動物の排泄物を拾い上げて片付けるために袋とへらを組み合わせた袋の集成体に関する。
【背景技術】
【０００２】
本発明の対象は、動物の排泄物として定義されるペット排泄物の収拾および除去に対して特に実用性が有る。しかしながらこの他にも、本発明の対象は、たとえば、捕獲したネズミの入ったネズミ取りや、死んだ小動物等々の、放置したままにしておくと望ましくない物体を収拾して除去するのにも使用できる。
【０００３】
ペットの買主の所有地以外の場所でペットが排便した場合には、買主が自分のペットの排泄物を収拾するのが望まれることであるし、また実際に多くの自治体が条例でそのように買主に義務づけている。イヌを散歩に連れてゆくときには、買主は、普通はシャベルと一緒に、紙タオルや布切れやビニール袋とか、場合によっては牛乳パックの容器上部を切り落としたものなどを携帯していて、散歩の途中でペットが排便した場合、これらを使用してペットの残した糞を片付けるようにする。しかし、ペットを連れて歩きながら牛乳パックやシャベルを持っているのはわずらわしい上に明らかに格好が悪く、あまり望ましいとは言えない。また、紙タオルや、ビニール袋や、タオル、布切れなどを使用して糞を収拾すれば、使用者の手に糞がかなり接近することになるし、また、廃棄し易い構造にもなっていないので、更にも増して望ましいやり方ではない。
【０００４】
動物の排泄物を収拾し易いように設計した様々なタイプの装置が過去に提案されてきた。このような装置の中には、収拾容器の付いたビニール袋や、袋の閉鎖端部にへらを装着したビニール袋を利用したものがある。このようなタイプの装置では、排泄物を容器に収拾したりへら上に載せたしたならば、袋を裏返しにしてから口を締め、そして、適切なゴミ箱のようなゴミ容器に廃棄することになる。しかしながら、従来、これらの装置には或る種の欠陥があることがわかっていた。１つの欠陥は、へらタイプの装置は剛性構造であり、排泄物の収拾を行なっている場所の特有の地形に適応するようには設計されていないということである。凸凹になった地形やゆるんだ地形に適応するようにへらが変形しないので、その結果、へらで糞をすくおうとしても、糞が地面の上を前方に移動してしまったり、へらの上面に移動して来にくいということがはっきり判っている。また、へらの前縁が、排泄物を拾い上げ易くするような形状を含めるようには設計されていない。
【発明の開示】
【発明が解決しようとする課題】
【０００５】
したがって、動物の排泄物を拾い上げ易くできると共に動物の排泄物を廃棄し易くすることのできるへら付きのペット排泄物収拾袋体の必要がある。
【課題を解決するための手段】
【０００６】
本発明の基本的な実施形態は、可撓性のある壁面からなる袋で、中に第１の内部区画を有する袋を利用したへら付きのペット排泄物収拾袋体に向けられている。この袋は内側端部と外側端部を有し、外側端部は開いていて、出し入れ開口部となっている。へらは、袋の外方へ突出する前部を有する。へらは、また、第１の内部区画内に装着した後面を有する。把持可能な取手がこの後面に取り付けてあり、袋の第１の内部区画内に位置づけられている。前部にはすくい取り用の縁がある。へらの上面は、ペット排泄物を保持できるようになっている。へらは曲げられる材料で作ってある。使用者は、出し入れ開口部に手を差し込み、把持可能な取手を掴み、へらを曲げるなどを含めてへらを操作して、へらの上面にペット排泄物を載せるようにする。その後、使用者は自分の手を突っ込んでいる袋を裏返して腕をむき出しにすることで前記第１の内部区画をなくし、この操作によって新しく形成された第２の内部区画内に前記へら及びペット排泄物を位置付けるようにする。
【０００７】
本発明のさらに別の実施形態では、その形態が、袋の出し入れ開口部の直ぐ近傍に一対の取手を形成することで修正されており、ペット排泄物が袋の中に溜ったら、これらの取手を相互に結び合わせて、出し入れ開口部をほぼ密閉できるようになっている。
【０００８】
本発明のさらに別の実施形態では、第１の基本的な実施形態を修正して、へらの上面を粗面とし、ペット排泄物をへら上に保持し易くしている。
本発明のさらに別の実施形態では、基本的な実施形態を修正して、へらをプラスチック発泡材料で作っている。
本発明のさらに別の実施形態では、へらの前縁、すなわち、すくい取り縁が、一連の波状スカロップ部を含み、ペット排泄物の拾い上げを容易にしている。
本発明のさらに別の実施形態では、基本的な実施形態を修正して、へらを袋の内側端部に取り付け、この内側端部で内部区画を閉じるようにしている。
【０００９】
本発明のさらに別の実施形態では、すぐ前の実施形態を修正して、取手集成体を袋の出し入れ開口部に接近して位置づけて袋の外側端部に位置するように形成している。
本発明のさらに別の実施形態では、すぐ前の実施形態を修正し、へらの上面を粗面化している。
本発明のさらに別の実施形態では、すぐ前の実施形態を修正し、へらをプラスチック発泡材料で作っている。
本発明のさらに別の実施形態では、すぐ前の実施形態を修正し、へらのすくい取り縁すなわち前縁に波状のスカラップ部を設け、ペット排泄物をすくい取り易くしている。
本発明のさらに別の実施形態では、すぐ前の実施形態を修正し、袋の内側端部にへらを連結してへらを袋に装着して、袋の内側端部を閉じるように機能させている。
【発明を実施するための最良の形態】
【００１０】
本発明をより良く理解して貰うために、添付図面を伴い説明することにする。本発明は、図面に示したそのままの配置に限定されるものではないことは了解されたい。
図１は、本発明のペット排泄物用のへら付き収拾袋の平面図で、使用者の腕と手がペット排泄物を拾い上げる使用状態位置にあるのを示している。図２は、図１の２−２線に沿った断面図で、袋とへらの密封連結状態を示している。図３は、図１の収拾袋とへらを使用して、ペット排泄物を拾い上げる使用状態を示している概略図である。図４は、図３と同様の概略図であるが、収拾袋を裏返して、拾い上げたペット排泄物を閉じ込めた状態を示す図である。図５は、図１と同様の図であるが、袋を裏返しにしてペット排泄物とへらの外側部分を閉じ込め、対になる取手部を結び合せて、袋の出し入れ開口部を実質的に閉ざし、袋およびその内容物全体をゴミ容器に簡単に廃棄できる状態にしたのを示す。図６は、本発明のペット排泄物用のへら付き収拾袋に含まれるへらの端面図であり、どのようにしてへらが手で円弧形状にまで変形させられるのかを示している図である。図７は、図６と同様の図であるが、ペット排泄物を収拾する場所の地面に対してへらが押し付けられた状態を示している図である。
【実施例】
【００１１】
図面には、本発明のペット排泄物用のへら付き収拾袋体１０が示してある。本発明のペット排泄物用のへら付き収拾袋体１０は、基本的には台形をした、可撓性の壁面を有する袋１１を有する。袋１１は、通常、２，３ミル（mil）の厚さで、透明であっても不透明でもよい。袋１１は、通常、プラスチックで作る。袋１１の外側端部１２は開放していて、出し入れ開口部１４を形成している。また、袋１１の内側端部１６は、へら１８上に装着されて密閉されている。
へら１８は、薄い発泡プラスチック材料で作られる。典型的な構成材料としては、ポリウレタン発泡材料がある。へら１８の厚さは、一般的には、１／３２インチ〜１／１６インチである。
【００１２】
へら１８の上面２０はザラザラの表面領域２２となっている。へら１８のすくい取り縁または前縁２４には、一連の波状のスカロップ２６が形成してある。スカロップ２６を形成することで、図３に示すように、ペット排泄物２８の下にへらのすくい取り縁２４を滑り込ませ易くなっている。すくい取り方向は矢印３０で示してある。すくい取りを行なう場合には、使用者は自分の手３２と腕３４を袋１１の内部チャンバ３６に入れてから、へら１８の後縁４０に一体に配設されていてそこから延び出ている把持取手３８を手で握る。へら１８の厚さは一定にしてあるが、実際には変えてもよい。使用者は、手で把持可能な取手３８を把持してから、図６に示すように、へら１８を随意に円弧状形態に変形させることができる。また、図７に示すように、使用者がへらを地面４２に対して押しつけると、へら１８は地面４２と接触して同一平面位置を取ることができ、これにより、ペット排泄物２８の拾い上げが容易になる。
【００１３】
袋の内側端部１６をへら１８と連結して熱融着や接着密封してシール部１７，１９を形成するようにしてもよいし、他の従来の適切な方法で固着してもよい。把持可能な取手３８のサイズは任意の所望のサイズであってもよいが、一般的には、長さ約３インチ、幅約２インチであるのが好ましい。典型的には、へら１８の前縁２４及び後縁４０間に位置する収拾面の長さは、４〜６インチの範囲である。
【００１４】
袋１１には、出し入れ開口部１４の領域に位置して一対の取手ストリップ４４が装着してある。通常、取手ストリップ４４は２枚並べて設けてあって、各取手ストリップ４４には穴４６が開けてある。使用者は、まず、出し入れ開口部１４から片手３２入れて腕３４を差し込んで、把持取手３８を把持する。そして、ペット排泄物２８を拾い上げてから、袋１１の取手ストリップ４４領域をもう一方の手で掴んで、袋１１を裏返しにすると、袋１１がペット排泄物２８を載せたへら１８の前部を取り囲むことになる。この後、使用者は、取手３８から手を離し、図５に示すように、取手ストリップ４４，４４を一緒に結び合わせると、本発明のペット排泄物用のへら付き収拾袋１０は適切な廃棄場所に廃棄できる状態になる。袋１１を裏返すと、図５に示すように、第２の内部区画４８が形成され、その中にペット排泄物２８と共にへら１８の前部も納まるようになっている。
【図面の簡単な説明】
【００１５】
【図１】本発明のペット排泄物用のへら付き収拾袋の平面図で、使用者の腕と手がペット排泄物を拾い上げる使用状態位置にあるのを示している。
【図２】袋とへらの密封連結状態を示している、図１の２−２線に沿った断面図である。
【図３】図１の収拾袋とへらを使用して、ペット排泄物を拾い上げる使用状態を示している概略図である。
【図４】図３と同様の概略図であるが、収拾袋を裏返して、拾い上げたペット排泄物を閉じ込めた状態を示す図である。
【図５】図１と同様の図であるが、袋を裏返しにしてペット排泄物とへらの外側部分を閉じ込め、対になる取手部を結び合せて、袋の出し入れ開口部を実質的に閉ざし、袋およびその内容物全体をゴミ容器に簡単に廃棄できる状態にしたのを示す。
【図６】本発明のペット排泄物用のへら付き収拾袋に含まれるへらの端面図であり、どのようにしてへらが手で円弧形状にまで変形させられるのかを示している図である。
【図７】図６と同様の図であるが、ペット排泄物を収拾する場所の地面に対してへらが押し付けられた状態を示している図である。
【図１】
2007502615.tif 000003
【図２】
2007502615.tif 000004
【図３】
2007502615.tif 000005
【図４】
2007502615.tif 000006
【図５】
2007502615.tif 000007
【図６】
2007502615.tif 000008
【図７】
2007502615.tif 000009
【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
補正後の特許請求の範囲
【請求項１】
ペット排泄物用のへら付き収拾袋体であり、前記へら付き収拾袋体は、
中に第１の内部区画を有する袋であって、内側端部および外側端部を有し、前記外側端部が開いていて出し入れ開口部を形成してなる、可撓性の壁面からなる袋と、前面および後面を有するへらと、から成り、前記へらの後面には把持取手が配置され、前記へらの前面にはすくい取り縁が形成してあり、前記へらは上面を有し、屈曲可能な材料で形成してあり、前記袋の前記内側端部に装着してあり、前記へらで前記袋を密閉していて、前記前面は前記袋の外部に位置され、前記後面は前記第１の内部区画内に位置してするように配置されており、
前記出し入れ開口部を介して使用者が手と腕を前記袋の中へ差し入れてから、前記把持取手を手で握り、前記へらを操作してペット排泄物をへらの上面に載置させ、次いで、使用者は前記袋を裏返して前記第１の内部区画をなくし、袋を裏返すことによって新しく形成された第２の内部区画内に前記へらおよびペット排泄物を位置付けるようにし、
前記上面は粗面化領域を有し、前記粗面化領域は、均一に離隔した、底部の閉じた数多くの凹所から成り、該粗面化した上面により、ペット排泄物を収拾した後に前記上面にペット排泄物を保持し易くするようにしたことを特徴とするペット排泄物用のへら付き収拾袋体。
【請求項２】
ペット排泄物用のへら付き収拾袋体であり、前記へら付き収拾袋体は、
中に第１の内部区画を有する袋であって、内側端部および外側端部を有し、前記外側端部が開いていて出し入れ開口部を形成してなる、可撓性の壁面からなる袋と、前面および後面を有する単一層になるへらと、から成り、前記へらの後面には把持取手が配置され、前記へらの前面にはすくい取り縁が形成してあり、前記へらは上面を有し、屈曲可能な材料で形成してあり、前記袋の前記内側端部に装着してあり、前記へらで前記袋を密閉していて、前記前面は前記袋の外部に位置され、前記後面は前記第１の内部区画内に位置してするように配置されており、
前記出し入れ開口部を介して使用者が手と腕を前記袋の中へ差し入れてから、前記把持取手を手で握り、前記へらを操作してペット排泄物をへらの上面に載置させ、次いで、使用者は前記袋を裏返して前記第１の内部区画をなくし、袋を裏返すことによって新しく形成された第２の内部区画内に前記へらおよびペット排泄物を位置付けるようにし、
前記すくい取り縁には、ペット排泄物の拾い上げを容易にする一連の滑らかな輪郭のバンプを形成して波状スカロップが設けてあり、
前記上面は粗面化領域を有し、前記粗面化領域は、均一に離隔した、底部の閉じた数多くの凹所から成り、該粗面化した上面により、ペット排泄物を収拾した後に前記上面にペット排泄物を保持し易くするようにしたことを特徴とするペット排泄物用のへら付き収拾袋体。
【国際調査報告】
2007502615.tif 000010